【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
薬物を保持するように構成された少なくとも１つのセキュリティ保護可能な区画を含む薬物ステーションと、
患者入院状態情報に応答して、
患者に対する薬物を少なくとも１つのセキュリティ保護可能な区画内に配置できるように患者を少なくとも１つのセキュリティ保護可能な区画に割り当て、
患者が現在入院していることを前記患者入院状態情報が示す場合、少なくとも１つのセキュリティ保護可能な区画内の患者に対する薬物へのアクセスを選択的に許し、かつ、
患者が現在入院していないことを前記患者入院状態情報が示す場合、少なくとも１つのセキュリティ保護可能な区画内の患者に対する薬物を取り出すためのアクセスを制限する、
ように構成されたコントローラと、を含む薬物調剤システム。
【請求項２】
請求項１記載のシステムであって、前記コントローラは、さらに、入退転院（ＡＤＴ）警告を受信して解釈するように構成され、前記ＡＤＴ警告は前記患者入院状態情報を含む前記システム。
【請求項３】
請求項１記載のシステムであって、前記コントローラは、さらに、前記患者入院状態情報が前記患者の状態の変化を示す場合、前記患者に対する薬物を調節する通知を送信するように構成され、前記患者に対する薬物を調節する前記通知は前記患者に対する入院通知、退院通知、または転院通知の少なくとも１つを含む前記システム。
【請求項４】
請求項１記載のシステムであって、前記コントローラはディスプレイおよび入力装置を含む前記システム。
【請求項５】
請求項１記載のシステムであって、前記少なくとも１つのセキュリティ保護可能な区画はセキュリティ保護可能な引出しを含む前記システム。
【請求項６】
請求項４記載のシステムであって、前記入力装置は磁気カードリーダ、バイオメトリック・リーダ−センサ、近接リーダ、無線周波数表示リーダ、キーボード、シンボロジ・リーダ、バーコード・リーダ、およびタッチ画面モニタを含むグループから選択された少なくとも１つのアイテムを含む前記システム。
【請求項７】
請求項１記載のシステムであって、前記コントローラは、さらに、前記少なくとも１つのセキュリティ保護可能な区画へのアクセスを記録するように構成される前記システム。
【請求項８】
請求項１記載のシステムであって、前記コントローラは、さらに、前記少なくとも１つのセキュリティ保護可能な区画内に配置された前記患者に対する薬物の目録作りをするように構成される前記システム。
【請求項９】
特定患者薬物調剤および通知方法であって、
入退転院（ＡＤＴ）警告を受信するステップと、
薬物ステーション内に薬物が貯蔵されている患者のリストを評価して、前記ＡＤＴ警告が受信された前記患者を前記リストが含んでいるかどうかを決定するステップと、
前記薬物ステーションにより治療された患者の前記リストに前記ＡＤＴ警告が受信された前記患者が含まれる場合、前記患者に対して受信された前記ＡＤＴ警告に応答して前記患者に対する薬物を調節する通知を送信するステップと、
を含む前記方法。
【請求項１０】
請求項９記載の方法であって、前記ＡＤＴ警告は退院警告を含み、前記方法は、さらに、
前記薬物ステーションにより治療された患者の前記リストに前記退院警告が受信された前記患者が含まれる場合、患者の前記リストから前記患者を除去するステップと、を含み、
薬物を調節する前記通知は前記薬物ステーションから前記患者に対する薬物を除去する通知を含む前記方法。
【請求項１１】
請求項１０記載の方法であって、さらに、前記患者に予め割り当てられた少なくとも１つのセキュリティ保護可能な区画から前記患者の割り当てを解除するステップを含む前記方法。
【請求項１２】
請求項９記載の方法であって、前記ＡＤＴ警告は入院警告を含み、前記方法は、さらに、
前記薬物ステーションにより治療された患者の前記リストに前記入院警告が受信された前記患者が含まれない場合、患者の前記リストに前記患者を加えるステップを含み、
薬物を調節する前記通知は前記薬物ステーションへ前記患者に対する薬物を加える通知を含む前記方法。
【請求項１３】
請求項１２記載の方法であって、さらに、前記患者に少なくとも１つのセキュリティ保護可能な区画を割り当てるステップを含む前記方法。
【請求項１４】
請求項９記載の方法であって、薬物を調節する前記通知は薬剤師コンソールへ送信される前記方法。
【請求項１５】
患者に対する入院状態情報を受信するステップと、
前記患者に対する少なくとも１つの薬物を少なくとも１つのセキュリティ保護可能な区画内に配置できるように、前記患者を薬物ステーションの前記少なくとも１つのセキュリティ保護可能な区画へ割り当てるステップと、
前記患者が現在入院していることを前記入院状態情報が示す場合、前記少なくとも１つのセキュリティ保護可能な区画内の前記少なくとも１つの薬物へのアクセスを選択的に許すステップと、
前記患者が現在入院していないことを前記入院状態情報が示す場合、前記少なくとも１つのセキュリティ保護可能な区画内の前記少なくとも１つの薬物を取り出すためのアクセスを制限するステップと、
を実施することによりプロセッサに薬物ステーションを制御する命令を実行させるコンピュータ実行可能命令を有するコンピュータ読取可能媒体。
【請求項１６】
請求項１５記載のコンピュータ読取可能媒体であって、さらに、
入退転院（ＡＤＴ）警告を受信して解釈するステップを実施するコンピュータ実行可能命令を有し、
前記ＡＤＴ警告は前記患者に対する前記入院状態情報を含む前記コンピュータ読取可能媒体。
【請求項１７】
請求項１５記載のコンピュータ読取可能媒体であって、さらに、前記少なくとも１つのセキュリティ保護可能な区画へのアクセスを記録するステップを実施するコンピュータ実行可能命令を有する前記コンピュータ読取可能媒体。
【請求項１８】
請求項１５記載のコンピュータ読取可能媒体であって、さらに、前記少なくとも１つのセキュリティ保護可能な区画内に配置された前記患者に対する薬物の目録を作るステップを実施するコンピュータ実行可能命令を有する前記コンピュータ読取可能媒体。
【請求項１９】
請求項１５記載のコンピュータ読取可能媒体であって、さらに、前記患者に予め割り当てられた患者カセット引出し（ＰＣＤ）から前記患者の割り当てを解除するステップを実施するコンピュータ実行可能命令を有する前記コンピュータ読取可能媒体。
【請求項２０】
請求項１５記載のコンピュータ読取可能媒体であって、薬物を調節する通知が薬剤師コンソールへ送信される前記コンピュータ読取可能媒体。
【請求項２１】
請求項１５記載のコンピュータ読取可能媒体であって、さらに、前記患者が現在入院していないことを前記入院状態情報が示す場合、前記患者に対する薬物を取り出すための通知を送信するステップを実施するコンピュータ実行可能命令を有する前記コンピュータ読取可能媒体。
【請求項２２】
薬物を保持するように構成された少なくとも１つのセキュリティ保護可能な区画を含む薬物ステーションと、
患者入院状態情報に応答して、
患者に対する薬物を少なくとも１つのセキュリティ保護可能な区画内に配置できるように患者を少なくとも１つのセキュリティ保護可能な区画に割り当て、
患者が現在入院していることを前記患者入院状態情報が示す場合、少なくとも１つのセキュリティ保護可能な区画内の患者に対する薬物へのアクセスを選択的に許し、かつ、
患者が退院して現在入院していないことを前記患者入院状態情報が示す場合、少なくとも１つのセキュリティ保護可能な区画内の患者に対する薬物を取り出すためのアクセスを即時に制限する、
ように構成されたコントローラと、を含み、
前記コントローラは更に、前記患者の状態の変化を示す前記患者入院状態情報に応答して前記患者に対する薬物を調節する通知を送信するように構成され、前記患者に対する薬物を調節する前記通知は、前記患者に対する入院通知、退院通知、または転院通知の少なくとも１つを含む、薬物調剤システム。